(57)【特許請求の範囲】
【請求項１】
ミシンのアーム機枠部に設けられて所定位置を照明する照明手段と、該照明手段を支持すると共に前記アーム機枠部の手前側に適宜引き出し可能な棒状の腕状支持部を有する照明支持手段と、該照明支持手段を前記アーム機枠部に内蔵する位置と該アーム機枠部から突出する位置とに亘って移動させるための移動案内手段と、前記照明手段を点灯するための点灯手段とを備えてなり、照明を使用しないときには、前記照明支持手段に設けた前記照明手段が前記アーム機枠部端に形成された窪み部に、前記アーム機枠部の外表面の一部として収納されるようにしてなることを特徴とするミシン用照明装置。
【請求項２】
請求項１において、前記照明支持手段が前記アーム機枠部に内蔵する位置から所定量移動したことを検出する検出手段が具備され、該検出手段による検出結果に基づいて前記点灯手段が作動されてなることを特徴とするミシン用照明装置。
【請求項３】
請求項１又は２において、前記照明支持手段は、前記腕状支持部と、前記照明手段が内装された照明ケースとからなり、前記移動案内手段はガイド部と該ガイド部に沿って移動する移動部とからなり、該移動部は前記腕状支持部に設けられてなることを特徴とするミシン用照明装置。
【請求項４】
請求項３において、前記照明ケースには前記照明手段の投光角度を変化させると共にその位置を保持する照明範囲変換手段が具備されてなることを特徴とするミシン用照明装置。
【請求項５】
請求項１，２，３又は４のいずれか１項の記載において、前記照明支持手段を前記アーム機枠部に内蔵された位置で前記照明支持手段を保持するための保持手段が具備されてなることを特徴とするミシン用照明装置。
【請求項６】
請求項１，２，３，４又は５のいずれか１項の記載において、前記照明手段はＬＥＤとしてなることを特徴とするミシン用照明装置。
【発明の詳細な説明】
【技術分野】
【０００１】
本発明は、ミシンの機枠から出し入れ自在で、照明を使用しないときには、機枠内に収納することによってミシン作業の邪魔になることがなく、且つその出入れの機構も簡単にすることができるミシン用照明装置に関する。
【背景技術】
【０００２】
一般に、ミシンに装着されている照明装置は、種々のものが市場に出回っており、たとえば、ミシン本体のアーム先端部分にランプが組み込まれたものがある。この場合、照射される方向は、あらかじめ決まっており、照射された箇所以外の照射ができない。これに対して、特許文献１に開示されているように、ミシン本体から外部に装着するタイプが存在する。これによれば、照射する範囲はある程度自由に設定することができる。
【先行技術文献】
【特許文献】
【０００３】
【特許文献１】特開２００４−３２９２３７号
【発明の概要】
【発明が解決しようとする課題】
【０００４】
特許文献１では、以上のような利点を有するが、しかしながら、以下に述べるように解決されない点も存在する。すなわち、照明装置が外付けタイプのために、常時ミシンのアーム外部に突出しており、ミシンの作業範囲を狭くし、作業効率を低下させることも有り得る。本発明の目的（解決しようとする技術的課題）は、ミシンの機枠から出し入れ自在で、照明を使用しないときには、機枠内に収納することによってミシン作業の邪魔になることがなく、且つその出入れ機構を簡単にすることである。
【課題を解決するための手段】
【０００５】
そこで、発明者は上記課題を解決すべく、鋭意，研究を重ねた結果、請求項１の発明を、ミシンのアーム機枠部に設けられて所定位置を照明する照明手段と、該照明手段を支持すると共に前記アーム機枠部の手前側に適宜引き出し可能な棒状の腕状支持部を有する照明支持手段と、該照明支持手段を前記アーム機枠部に内蔵する位置と該アーム機枠部から突出する位置とに亘って移動させるための移動案内手段と、前記照明手段を点灯するための点灯手段とを備えてなり、照明を使用しないときには、前記照明支持手段に設けた前記照明手段が前記アーム機枠部端に形成された窪み部に、前記アーム機枠部の外表面の一部として収納されるようにしてなるミシン用照明装置としたことにより、上記課題を解決した。
【０００６】
請求項２の発明を、請求項１において、前記照明支持手段が前記アーム機枠部に内蔵する位置から所定量移動したことを検出する検出手段が具備され、該検出手段による検出結果に基づいて前記点灯手段が作動されてなるミシン用照明装置としたことにより、上記課題を解決した。請求項３の発明を、請求項１又は２において、前記照明支持手段は、前記腕状支持部と、前記照明手段が内装された照明ケースとからなり、前記移動案内手段はガイド部と該ガイド部に沿って移動する移動部とからなり、該移動部は前記腕状支持部に設けられてなるミシン用照明装置としたことにより、上記課題を解決した。
【０００７】
請求項４の発明を、請求項３において、前記照明ケースには前記照明手段の投光角度を変化させると共にその位置を保持する照明範囲変換手段が具備されてなるミシン用照明装置としたことにより、上記課題を解決した。
【０００８】
請求項５の発明を、請求項１，２，３又は４のいずれか１項の記載において、前記照明支持手段を前記アーム機枠部に内蔵された位置で前記照明支持手段を保持するための保持手段が具備されてなるミシン用照明装置としたことにより、上記課題を解決した。請求項６の発明を、請求項１，２，３，４又は５のいずれか１項の記載において、前記照明手段はＬＥＤとしてなるミシン用照明装置としたことにより、上記課題を解決した。
【発明の効果】
【０００９】
請求項１の発明では、照明手段を支持するための照明支持手段をアーム機枠部箇所に内蔵する位置と、アーム機枠部外に突出する位置に移動させるようにしたことで、針下の範囲以外の広い範囲の縫製作業面及び被縫製布を照明することができる。また不使用時にはアーム機枠部内に収納するようにしたので、着脱装置のように紛失してしまうことがなく、長期に亘り、安定的に使用することができる。また、照明支持手段の照明ケースの外側面は、アーム機枠部の表面形状の一部分を構成する形状として形成された構成としたので、アーム機枠部に照明支持手段を収納した（又は内蔵した）状態で、照明支持手段は、アーム機枠部に対して何ら違和感のない良好な外観にすることができ、アーム機枠部から突出する部位がなくなり、ミシン自体の収納性も良好となる。
【００１０】
請求項２の発明では、照明支持手段が前記アーム機枠部に内蔵する位置から所定量移動したことを検出する検出手段が具備され、該検出手段による検出結果に基づいて前記点灯手段が作動される構成としたことにより、照明支持手段をアーム機枠部から適当に引き出すと同時に照明手段が点灯することになり、照明手段を点灯させる動作を省略でき、作業効率を向上させることができる。
【００１１】
また、その反対に照明支持手段をアーム機枠部内に収納するのみで、照明手段が自動的に消灯し、照明手段の消し忘れを防止できる。また、アーム機枠部に、照明手段を点灯及び消灯するためのスイッチを設ける必要がなく、ゆえに誤操作を防止すると共にミシンの外観を良好にすることができる。
【００１２】
請求項３の発明では、照明支持手段は、腕状支持部と、前記照明手段が内装された照明ケースとからなり、前記移動案内手段はガイド部と該ガイド部に沿って移動する移動部とからなり、該移動部は前記腕状支持部に設けられる構成としたことで、照明支持手段と移動案内手段とは、構造が簡単で、照明支持手段をアーム機枠部から引き出したり、収納する動作が円滑に行われるものである。
【００１３】
請求項４の発明では、照明ケースには前記照明手段の投光角度を変化させると共にその
位置を保持する照明範囲変換手段が具備された構成としたので、照明手段の照射の範囲が
より一層拡がり、作業性を向上させることができる。
【００１４】
請求項５の発明では、照明支持手段をアーム機枠部に内蔵された位置で照明支持手段を
保持するための保持手段が具備された構成としたので、照明支持手段をアーム機枠部に内
蔵した状態を安定させることができる。請求項６の発明では、照明手段はＬＥＤとしたの
で、照明における省電力を実現することができる。
【図面の簡単な説明】
【００１５】
【図１】（Ａ）は照明支持手段がアーム機枠部に内蔵された状態における構成を示す要部正面図、（Ｂ）は照明支持手段がアーム機枠部から突出した状態を示す要部正面図、（Ｃ）は（Ａ）のＹ1−Ｙ1矢視拡大断面図、（Ｄ）は（Ｃ）の一部省略したＹ2矢視図、（Ｅ）は移動案内手段の別のタイプの要部断面図である。
【図２】（Ａ）は本発明の照明装置が具備されたミシンの側面を示す略示図、（Ｂ）は（Ａ）のＹ3矢視正面拡大図である。
【図３】（Ａ）は本発明における照明支持手段と検出手段及び点灯手段における作動を示すものであって照明支持手段が所定領域内に位置する状態を示す一部切除した要部の拡大側面図、（Ｂ）は照明支持手段が所定領域を離脱した状態を示す一部切除した要部の拡大側面図、（Ｃ）は照明支持手段が所定領域を離脱すると共に点灯手段が作動して点灯手段が点灯される状態を示す要部側面図である。
【図４】（Ａ）は照明支持手段がアーム機枠部に内蔵された状態の要部斜視図、（Ｂ）は照明支持手段がアーム機枠部から突出した要部斜視図である。
【図５】（Ａ）は照明支持手段の要部斜視図、（Ｂ）は照明支持手段の腕状支持部に対して揺動照明ケースが揺動する状態を示す要部正面図、（Ｃ）は（Ａ）のＹ4−Ｙ4矢視断面図、（Ｄ）は（Ｃ）の（イ）部拡大図である。
【発明を実施するための形態】
【００１６】
以下、本発明の実施形態を図面に基づいて説明する。本発明は、図１に示すように、主に、照明手段１と、照明支持手段２、移動案内手段Ａと、保持手段５と、検出手段６と、点灯手段７とから構成される。そして、これら手段は、ミシンのアーム機枠部８の先端部分に装着される（図２参照）。照明手段１は、所定位置を照明するものであり、ＬＥＤランプ，電球が使用される。特にＬＥＤランプは、小型且つ省エネの点から好適である。また、小型の蛍光ランプの使用も可能である。照射される所定位置とは、針板上等の作業が集中的に行われる場所のことである〔図２（Ｂ）参照〕。
【００１７】
照明支持手段２は、腕状支持部２１と照明ケース２２とから構成される〔図１（Ａ），（Ｂ）参照〕。腕状支持部２１は、合成樹脂による樹脂成形部２１ａと金属板部２１ｂによる成形部とから構成され、樹脂成形部２１ａが金属板部２１ｂにて補強された構造となっている〔図１（Ｃ）参照〕。また、照明支持手段２は、他のタイプとして、全体が金属板部２１ｂのみで構成されることもある〔図１（Ｅ）参照〕。
【００１８】
腕状支持部２１は、アーム機枠部８の先端寄りの箇所で、該アーム機枠部８の内部と外部とを後述する移動案内手段Ａによって出入自在となるように構成されている。照明支持手段２の腕状支持部２１には、つまみ部２１ｃが形成され、該つまみ部２１ｃによって、照明支持手段２の出し入れを行うものである。アーム機枠部８の先端側寄りの部分とは、針棒等が装着されている部分である〔図２（Ａ）参照〕。
【００１９】
照明ケース２２は、略直方体（又は四角柱）形状の筐体として形成され、前記腕状支持部２１の長手方向先端に装着されている〔図１（Ｂ），図４，図５（Ａ）等参照〕。照明ケース２２は、その内部に前記照明手段１が装着され、下面側２２ｃに投光用開口２２ｄが形成され、照明手段１は、照明ケース２２の投光用開口から略下方に向かって投光する。アーム機枠部８には、その頂部において前記腕状支持部２１が配置されるための溝状部８１が形成され〔図４（Ａ）参照〕、アーム機枠部８の側面には、照明ケース２２が収納される窪み部８２が形成されている〔図４（Ｂ）参照〕。
【００２０】
照明ケース２２の外側面２２ａ及び頂面２２ｂは、アーム機枠部８の先端寄りの部分における外側表面の一部分を構成している。すなわち、腕状支持部２１をアーム機枠部８に内蔵させた状態，つまり収納された状態で〔図１（Ａ），図４（Ａ）参照〕、照明ケース２２の外側面がアーム機枠部８の外側表面と同一の表面形状を構成するようになっている。換言するならば、アーム機枠部８の一部が切除され、この切除された形状部分がそのまま照明ケース２２の外側面２２ａと頂面２２ｂとして使用される。
【００２１】
そのために、照明ケース２２の外側面２２ａと頂面２２ｂとは、アーム機枠部８の外側表面と同様に化粧仕上げが施される。そして、照明支持手段２をアーム機枠部８に内蔵させた状態，つまり収納された状態では、アーム機枠部８の前記窪み部８２に照明ケース２２が収納され、該照明ケース２２の外側面２２ａと頂面２２ｂがアーム機枠部８の外側表面と同一表面となり、照明ケース２２がアーム機枠部８の外側表面から突出しない整然且つすっきりとした外観にすることができる〔図４（Ａ）参照〕。
【００２２】
また、照明ケース２２の内部には、前記照明手段１を固定し、前記腕状支持部２１と連結させる照明ベース２４が内装されている〔図５（Ｃ），（Ｄ）参照〕。該照明ベース２４は、ランプベース部２４ａと連結部２４ｂとからなる。ランプベース部２４ａは、電球，ＬＥＤ基板等の照明手段１を装着する部位である。連結部２４ｂは、腕状支持部２１と連結する部位である。
【００２３】
腕状支持部２１と照明ケース２２とは連結される。この連結構造には、照明範囲変換手段２３が具備され、照明ケース２２は垂直面上を揺動すると共に、所望の角度θ〔図５（Ｂ）参照〕にてその位置を維持するように固定されるようになっている。照明範囲変換手段２３は、具体的には、ビス２３ａと弾性部材２３ｂが使用される〔図５（Ｃ），（Ｄ）参照〕。
【００２４】
そして、腕状支持部２１の金属板部２１ｂの先端部位が、前記照明ベース部２４の連結に略挟持される状態で配置される〔図５（Ｃ），（Ｄ）参照〕。そして、ビス２３ａにて照明ケース２２が揺動自在に連結され、弾性部材２３ｂにて腕状支持部２１と照明ケース２２との間に弾発力を生じさせ、所望の位置における停止状態を維持させるものである。弾性部材２３ｂは、具体的にはスプリング座金等のバネ材が使用される。スプリング座金とした弾性部材２３ｂは、前記ビス３２ａと共に使用される。照明範囲変換手段２３によって、照明ケース２２は揺動且つ固定され、照明手段１の投光方向を自由に変化させて、作業に適した照明にすることができる。
【００２５】
次に、移動案内手段Ａは、前記照明支持手段２を、腕状支持部２１が機枠から出入移動するための、ガイドの役目をなす。そして、移動案内手段Ａによって、照明支持手段２（腕状支持部２１と照明ケース２２）は、アーム機枠部８の内部に内蔵された状態と、アーム機枠部８の外部に突出された状態にすることができる。
【００２６】
移動案内手段Ａは、ガイド部３と移動部４とから構成される（図１参照）。ガイド部３は、ガイドベース３１と案内レール３２とから構成される。ガイドベース３１は、金属板材から形成され、機枠内部にビス等の固着具によって固着される。該ガイドベース３１には、案内レール３２が形成される。
【００２７】
該案内レール３２は、前記照明支持手段２が機枠から所定の範囲内で移動して出入できるように案内をするものである。移動部４は、案内レール３２に従って移動自在に構成されたものである。そして、移動部４は、前記照明支持手段２の腕状支持部２１の長手方向端部に連結されている〔図１（Ａ），（Ｂ），図３（Ａ），（Ｂ）参照〕。
【００２８】
移動案内手段Ａの具体的な構成は、まず前記案内レール３２は、ガイドベース３１に略水平方向に沿って長孔形状に形成されたものである。ガイドベース３１及び案内レール３２の長手方向が、アーム機枠部８の長手方向に対して直交するように設置される。また、ガイドベース３１は垂直状に設置される。また、案内レール３２では、照明支持手段２がアーム機枠部８から出入する側を手前側３２ｆと称し、この手前側と反対となる側を奥側３２ｒと称する〔図１（Ａ），（Ｂ）参照〕。また、手前側３２ｆは、通常、ミシンの作業者側となる。
【００２９】
移動部４は、移動ベース板４１と案内部材４２とからなる。移動ベース板４１は、前記腕状支持部２１側に設けられるものであって、具体的には、腕状支持部２１を構成する金属成形部と一体的に形成されている。移動ベース板４１には、案内部材４２が２個装着されている。
【００３０】
案内部材４２は、ガイドピン４２ａとガイドローラ４２ｂと押え片４２ｃとから構成される。ガイドローラ４２ｂは、前記長孔形状とした案内レール３２内に回動自在に配置される。また、押え片４２ｃは、円板状をなし、長孔形状とした案内レール３２の上下方向の幅寸法よりも大きく形成されている。
【００３１】
そして、移動ベース板４１にガイドピン４２ａが固着され、該ガイドピン４２ａにガイドローラ４２ｂと押え片４２ｃが装着される。移動ベース板４１は、ガイドベース３１に隣接配置され、ガイドピン４２ａを長孔形状の案内レール３２に挿入させると共に該ガイドピン４２ａにガイドローラ４２ｂが回動自在に装着され、さらに前記押え片４２ｃがガイドピン４２ａに装着される〔図１（Ｃ）乃至（Ｅ）参照〕。
【００３２】
該押え片４２ｃは、回動自在に留め輪等の固着具にて固定される。移動ベース板４１には、２個の案内部材４２が適宜の間隔をおいて装着されている。移動部４は、ガイド部３の長孔状の案内レール３２の長手方向に沿って手前側３２ｆ及び奥側３２ｒとの間を往復移動することにより、移動部４と共に照明支持手段２も移動する。そして、照明支持手段２がアーム機枠部８の内部に内蔵される状態と、機枠の外部に突出される状態にすることができる。
【００３３】
次に、保持手段５が移動案内手段Ａに設けられている。保持手段５は、照明支持手段２を前記アーム機枠部８に内蔵する位置で停止する状態を保持するものである。保持手段５の具体的な構成は、前記照明支持手段２の腕状支持部２１に爪部５１が設けられ、移動案内手段Ａのガイドベース３１に前記爪部５１が嵌合する凹部５２が形成されている。前記爪部５１は、腕状支持部２１の軸方向奥側に装着され、前記凹部５２は、ガイドベース３１の奥側上端に切欠き形状に形成されている。
【００３４】
爪部５１は、取付片５１ａから爪片５１ｂが形成され、取付片５１ａが腕状支持部２１にビス等の固着具にて固着され、爪片５１ｂは片持梁状の弾性材として、常時、凹部５２に嵌合するように弾性付勢されている。そして、照明支持手段２の腕状支持部２１がアーム機枠部８に完全に内蔵される位置で、爪部５１の爪片５１ｂが凹部５２に嵌合し、腕状支持部２１が停止する状態を保持することができる。また、前記凹部５２は、ガイドベース３１の手前側にも形成され、前記照明支持手段２の腕状支持部２１がアーム機枠部８から完全に突出した状態で停止する状態を保持する。
【００３５】
次に、検出手段６及び点灯手段７について述べる。検出手段６は、点灯手段７と共に設けて、相互に連携させることにより、照明支持手段２をアーム機枠部８から引き出し始めると共に照明手段１を点灯させる構成にできる。検出手段６は、照明支持手段２が前記アーム機枠部８に内蔵する位置から所定量移動したことを検出する役目をなし、さらに該検出手段６による検出結果に基づいて点灯手段７が作動し、照明手段１を点灯させる。
【００３６】
検出手段６は、具体的には、レバー状の部材であり、案内レール３２の奥側３２ｒ寄りの位置で、且つ案内レール３２の下方側なる位置に装着される。検出手段６は、検出レバー片６１と、作動レバー片６２とからなり、これらによってレバー状の検出手段６は略Ｌ字形状に形成される。
【００３７】
そして、レバー形状の検出手段６は、枢支部６３を介して、揺動自在となるようにガイドベース３１に装着される。また、該枢支部６３箇所には、捩りコイルバネ６４が装着され、検出レバー片６１が起立する方向に弾性付勢力がかかっている。実際には、作動レバー片６２側にストッパが設けられているので、検出レバー片６１は傾斜状を維持する。検出レバー片６１は、直線軸状に形成されている。
【００３８】
点灯手段７は、具体的には、スイッチ器具（或いは電鍵）であり、さらに具体的にはマイクロスイッチである。このスイッチでは、スイッチ本体７１にスイッチレバー７２が装着され、スイッチレバー７２の揺動にてオン（Ｏｎ）及びオフ（Ｏｆｆ）が設定される。点灯手段７は、案内レール３２の奥側３２ｒ寄りで、且つ前記検出手段６の下方側に位置してガイドベース３１に固着される。点灯手段７のスイッチレバー７２は、前記検出手段６の作動レバー片６２の動作によって、揺動し、オン（Ｏｎ）及びオフ（Ｏｆｆ）に電気制御される。
【００３９】
次に、前述した照明手段１と、照明支持手段２と、移動案内手段Ａと、検出手段６と、点灯手段７によって、本発明における、動作の説明を図３に基づいてする。また、以下の説明において、「所定領域Ｌ」という文言が使用されているが、これは案内レール３２の奥側３２ｒ任意の距離だけ離れた範囲であり、さらに具体的には、照明支持手段２がアーム機枠部８から引き出されて、照明手段１による点灯が有効に作用し始めるまでの範囲のことである。
【００４０】
前記検出手段６の検出レバー片６１は、前記照明支持手段２がアーム機枠部８に完全内蔵された状態、すなわち前記照明支持手段２と共に移動案内手段Ａの移動部４が案内レール３２の奥側３２ｒ寄りの所定領域Ｌ内に位置しているときに、移動部４の一部によって押圧されるようになっている〔図３（Ａ）参照〕。具体的には、前記移動部４のガイドピン４２ａと、検出レバー片６１とが当接し、ガイドピン４２ａが検出レバー片６１に当接して押し倒して、水平状態にしている。
【００４１】
そして、レバーとした検出手段６の作動レバー片６２は、スイッチとした点灯手段７のスイッチレバー７２に当接するが移動案内手段Ａの移動部４が所定領域Ｌ内に位置している状態では、検出レバー片６１は、ガイドピン４２ａによって水平状となるように押し倒され、作動レバー片６２はスイッチレバー７２を押圧することなく、非作動状態であり、点灯手段７はオフ（Ｏｆｆ）状態となる。すなわち、照明手段１は点灯していない。
【００４２】
次に、前記検出手段６の検出レバー片６１が前記照明支持手段２がアーム機枠部８から引き出されて、Ｌ＋ΔＬの距離を移動して、アーム機枠部８からの突出状態となり始めると〔図３（Ｂ）参照〕、前記移動案内手段Ａの移動部４は、案内レール３２の奥側３２ｒ寄りの所定領域Ｌから離脱する。すると、前記移動部４のガイドピン４２ａも検出レバー片６１から離れ、非当接状態となる。
【００４３】
そして、検出手段６の作動レバー片６２は、捩りコイルバネ６４の弾性付勢力によって揺動し、点灯手段７のスイッチレバー７２を押圧する。これによって、点灯手段７は、オン（Ｏｎ）状態となる。すなわち、照明手段１を点灯させる〔図３（Ｃ）参照〕。このように、照明支持手段２がアーム機枠部８から、所定領域Ｌを超えて引き出されると、移動案内手段Ａの移動部４が所定領域Ｌから離脱したことを検出手段６が検知し、点灯手段７が作動してオン（Ｏｎ）となり照明手段１が点灯する。
【００４４】
点灯された照明手段１は、照明ケース２２を照明範囲変換手段２３によって、照明角度θを変換し、作業し易い状態にすることができる〔図５（Ｂ）参照〕。また、アーム機枠部８から引き出された照明支持手段２をアーム機枠部８内に戻す行程で、移動案内手段Ａの移動部４が所定領域Ｌ内に入り始めると、これを検出手段６が検知し、照明点灯手段７がオフ（Ｏｆｆ）となり、照明手段１が消灯する。
【００４５】
このように、本発明では、照明支持手段２をアーム機枠部８内に内蔵する第１の位置（内蔵された状態）からアーム機枠部８外に突出する第２の位置（突出した状態）に亘って動作させるステップと、照明支持手段２をアーム機枠部８外に突出する第２の位置（突出した状態）からアーム機枠部８内に内蔵し保持される第１の位置（内蔵された状態）に収納させるステッブによる操作にて、簡単にミシンの作業における照明を行ったり、その照明を終了することができる。
【符号の説明】
【００４６】
１…照明手段、２…照明支持手段、２１…腕状支持部、２３…照明範囲変換手段、
３…ガイド部、３２…案内レール、４…移動部、Ａ…移動案内手段、５…保持手段、
６…検出手段、７…点灯手段、８…アーム機枠部。
【図１】
0005981701.tif 000002
【図２】
0005981701.tif 000003
【図３】
0005981701.tif 000004
【図４】
0005981701.tif 000005
【図５】
0005981701.tif 000006